(57)【要約】      （修正有）【課題】印刷時のモタリング発生と裏抜け発生防止に優れた水性インクジェット用インク組成物の提供。【解決手段】水溶性有機溶剤、水、顔料及び顔料分散剤を含有する水性インクジェット用インク組成物。水溶性有機溶剤が、ａの１種以上、及び／又は、ｂの１種以上を、２０質量％以上含有、或いは下記ａの１種以上、及び／又は、下記ｂの１種以上と下記ｃとを、２０質量％以上含有するインク組成物。ａ．水溶解量が５０ｇ以上で、１分子中にＯＨ基を１つ以下有し、表面張力が３５ｍＮ／ｍ以下、ＳＰ値が１０．０（ｃａｌ／ｃｍ３）０．５以下。ｂ．前記溶解量が５０ｇ以上で、１分子中にＯＨ基を２つ有し、表面張力が３５ｍＮ／ｍ以下で、ＳＰ値が１２．５（ｃａｌ／ｃｍ３）０．５以下。ｃ．前記溶解量が５０ｇ以上で、１分子中にＯＨ基を３つ以上有し、表面張力が６０ｍＮ／ｍ以上で、ＳＰ値が１５．０（ｃａｌ／ｃｍ３）０．５以上。【選択図】なし【特許請求の範囲】
【請求項１】
水溶性有機溶剤、水、顔料及び顔料分散剤を含有する水性インクジェット用インク組成物において、
該水溶性有機溶剤として、下記ａの水溶性有機溶剤のうち１種以上、及び／又は、下記ｂの水溶性有機溶剤のうち１種以上を、合計でインク組成物中２０質量％以上含有するか、あるいは下記ａの水溶性有機溶剤のうち１種以上、及び／又は、下記ｂの水溶性有機溶剤のうち１種以上とともに、さらに下記ｃの水溶性有機溶剤を含有し、これらの水溶性有機溶剤が合計でインク組成物中２０質量％以上含有する水性インクジェット用インク組成物。
ａ．２０℃の１００ｇの水に対する溶解量が５０ｇ以上であり、かつ１分子中にＯＨ基を有しないか、またはＯＨ基を１つ有し、表面張力が３５ｍＮ／ｍ以下で、ＳＰ値が１０．０（ｃａｌ／ｃｍ３）０．５以下である水溶性有機溶剤。
ｂ．２０℃の１００ｇの水に対する溶解量が５０ｇ以上であり、かつ１分子中にＯＨ基を２つ有し、表面張力が３５ｍＮ／ｍ以下で、ＳＰ値が１２．５（ｃａｌ／ｃｍ３）０．５以下である水溶性有機溶剤。
ｃ．２０℃の１００ｇの水に対する溶解量が５０ｇ以上であり、かつ１分子中にＯＨ基を３つ以上有し、表面張力が６０ｍＮ／ｍ以上で、ＳＰ値が１５．０（ｃａｌ／ｃｍ３）０．５以上である水溶性有機溶剤。
【請求項２】
上記ａがトリエチレングリコールモノブチルエーテル、ジプロピレングリコールモノメチルエーテル、ジプロピレングリコールジメチルエーテル、ジエチレグリコールモノブチルエーテルから選ばれる少なくとも一つ、上記ｂが１，２−ペンタンジオール、１，２−ヘキサンジオール、ジプロピレングリコール、トリプロピレングリコールから選ばれる少なくとも一つ、上記ｃがグリセリンまたはジグリセリンから選ばれる少なくとも一つである請求項１に記載の水性インクジェット用インク組成物。
【発明の詳細な説明】
【技術分野】
【０００１】
本発明は、水性インクジェット用インク組成物に関する。
【背景技術】
【０００２】
水性インクジェット用インクを用いて、普通紙やインクジェット印刷用塗工紙に印刷した場合、それらの用紙上の特に印画率が高い部分においては、モタリング（mottling）の発生による画質の低下や、用紙の裏側までインクが染み込むことによる裏抜けが発生することがある。そして、これらの傾向は二次色以上の色を呈する部分において顕著である。
【０００３】
特許文献１及び２に記載のインクジェット用インク組成物のように、モタリングの発生を防止するために、水溶性有機溶剤の組成を調整することは知られている。しかしながら、用紙上の印画率が高い部分における裏抜けの発生の防止までを検討していない。
【先行技術文献】
【特許文献】
【０００４】
【特許文献１】特開２０１７−３１２７２号公報
【特許文献２】国際公開第２０１５／０２０１２８号
【発明の概要】
【発明が解決しようとする課題】
【０００５】
本発明により解決しようとする課題は、水性インクジェット用インク組成物において、印刷時のモタリングの発生を防止するのみではなく、特に用紙上の印画率が高い部分における裏抜けの発生を防止すること、さらにインクジェット用インク組成物の保存安定性と吐出安定性の向上を両立させることである。
【課題を解決するための手段】
【０００６】
本発明者らは、有機溶剤として特定の水溶性有機溶剤を特定量含有させることにより、上記課題を解決しうることを見出し、本発明を完成するに至った。
水溶性有機溶剤、水、顔料及び顔料分散剤を含有する水性インクジェット用インク組成物において、
該水溶性有機溶剤として、下記ａの水溶性有機溶剤のうち１種以上、及び／又は、下記ｂの水溶性有機溶剤のうち１種以上を、合計でインク組成物中２０質量％以上含有するか、あるいは下記ａの水溶性有機溶剤のうち１種以上、及び／又は、下記ｂの水溶性有機溶剤のうち１種以上とともに、さらに下記ｃの水溶性有機溶剤を含有し、これらの水溶性有機溶剤が合計でインク組成物中２０質量％以上含有する水性インクジェット用インク組成物。
ａ．２０℃の１００ｇの水に対する溶解量が５０ｇ以上であり、かつ１分子中にＯＨ基を有しないか、またはＯＨ基を１つ有し、表面張力が３５ｍＮ／ｍ以下で、ＳＰ値が１０．０（ｃａｌ／ｃｍ３）０．５以下である水溶性有機溶剤。
ｂ．２０℃の１００ｇの水に対する溶解量が５０ｇ以上であり、かつ１分子中にＯＨ基を２つ有し、表面張力が３５ｍＮ／ｍ以下で、ＳＰ値が１２．５（ｃａｌ／ｃｍ３）０．５以下である水溶性有機溶剤。
ｃ．２０℃の１００ｇの水に対する溶解量が５０ｇ以上であり、かつ１分子中にＯＨ基を３つ以上有し、表面張力が６０ｍＮ／ｍ以上で、ＳＰ値が１５．０（ｃａｌ／ｃｍ３）０．５以上である水溶性有機溶剤。
【発明の効果】
【０００７】
本発明の水性インクジェット用インク組成物により、普通紙やインクジェット印刷用塗工紙に対して、印画率が高くなるように印字した場合においても、モタリング及び裏抜けの発生防止性に優れ、さらに吐出安定性と保存安定性に優れる水性インクジェット用インク組成物を提供することができる。
【発明を実施するための形態】
【０００８】
（水溶性有機溶剤）
本発明の水性インクジェット用インク組成物を構成する、下記ａ〜ｃの水溶性有機溶剤としては、下記のものを使用することができる。以下のその他の水溶性有機溶剤と合わせて、表面張力、ＳＰ値、水への溶解度を以下の表１に示す。
ａ．としては、ジエチレングリコールモノブチルエーテル、トリエチレングリコールモノブチルエーテル、ジプロピレングリコールモノメチルエーテル、ジエチレングリコールジエチルエーテル、トリプロピレングリコールモノメチルエーテル、ジプロピレングリコールジメチルエーテル、ジエチレングリコールモノエチルエーテルアセテート等が挙げられる。
ｂ．としては、ジプロピレングリコール、トリプロピレングリコール、１，２−ペンタンジオール、１，２−ヘキサンジオール等が挙げられる。
ｃ．としては、グリセリン、ジグリセリン等が挙げられる。
【０００９】
上記のａ〜ｃの水溶性有機溶剤はそれらの１種以上使用されるものであり、組合せとしてはａから１種以上及び／又はｂから１種以上、これにｃをさらに併用するものが挙げられる。これらの水溶性有機溶剤は合計で、水性インクジェット用インク組成物中の２０質量％以上となるように配合され、好ましくは２０〜６０質量％、さらに好ましくは、２３〜４０質量％配合される。２０質量％未満であると、特に裏抜けを防止することが困難になる。
但し、上記ｃの水溶性有機溶剤を併用するよりも、ｃの水溶性有機溶剤を併用せずに、上記ａから１種以上、及び／又はｂから１種以上の水溶性有機溶剤のみを使用するほうが、少なくともモタリング発生防止の点において好ましい傾向にある。
【００１０】
（その他の水溶性有機溶剤）
上記ａ〜ｃの水溶性有機溶剤と共に、本発明の効果を損なわない範囲において、上記ａ〜ｃの要件を満足しないような、その他の水溶性有機溶剤を配合することができる。但し配合しないほうが、モタリング発生防止及び裏抜け発生防止の点において好ましい。
そのようなその他の水溶性有機溶剤としては、例えば、モノアルコール類、多価アルコール類、多価アルコールの低級アルキルエーテル類、ケトン類、エーテル類、エステル類、窒素含有化合物類等を挙げることができる。これらは単独で用いてもよく、２種以上を併用してもよい。
【００１１】
上記モノアルコール類の具体例としては、メタノール、エタノール、ｎ−プロパノール、ｎ−ブタノール、ｎ−ペンタノール、ｎ−ヘキサノール、ｎ−ヘプタノール、ｎ−オクタノール、ｎ−ノニルアルコール、ｎ−デカノール、またはこれらの異性体、シクロペンタノール、シクロヘキサノール等が挙げられ、好ましくはアルキル基の炭素数が１〜６のアルコールである。
【００１２】
上記多価アルコール類の具体例としては、エチレングリコール、プロピレングリコール、１，３−ブチレングリコール、１，４−ブチレングリコール、１，５−ペンタンジオール、ネオペンチルグリコール、１，６−ヘキサンジオール、１，２−シクロヘキサンジオール、ヘプタンジオール、オクタンジオール 、１，９−ノナンジオール、１，１０−デカンジオール、ペンタエリスリトール、ジエチレングリコール、トリエチレングリコール、テトラエチレングリコール、ポリエチレングリコール、テトラプロピレングリコール、チオジグリコール等が挙げられる。
【００１３】
上記多価アルコールの低級アルキルエーテル類の具体例としては、エチレングリコールモノメチルエーテル、エチレングリコールジメチルエーテル、エチレングリコールモノエチルエーテル、エチレングリコールジエチルエーテル、エチレングリコールモノプロピルエーテル、エチレングリコールイソプロピルエーテル、エチレングリコールイソブチルエーテル、プロピレングリコールモノメチルエーテル、プロピレングリコールモノエチルエーテル、プロピレングリコールモノプロピルエーテル、プロピレングリコールモノブチルエーテル、ジエチレングリコールモノメチルエーテル、ジエチレングリコールモノエチルエーテル、ジプロピレングリコールモノ−ｎ−プロピルエーテル、ジプロピレングリコールモノ−ｎ−ブチルエーテル等が挙げられる。
【００１４】
上記ケトン類の具体例としては、アセトン、メチルエチルケトン、メチルブチルケトン、メチルイソブチルケトン、ジイソプロピルケトン、シクロペンタノン、シクロヘキサノン等が挙げられる。
上記エーテル類の具体例としては、イソプロピルエーテル、ｎ−ブチルエーテル、テトラヒドロフラン、テトラヒドロピラン、１，４−ジオキサン等が挙げられる。
上記エステル類の例としては、プロピレンカーボネート、酢酸メチル、酢酸エチル、酢酸プロピル、酢酸イソプロピル、酢酸ブチル、酢酸イソブチル、酢酸アミル、乳酸エチル、酪酸エチル、ジブチルフタレート、ジオクチルフタレート、及びε−カプロラクトン、ε−カプロラクタム等の環状エステル等が挙げられる。
上記窒素含有化合物の例としては、尿素、ピロリドン、Ｎ−メチル−２−ピロリドン、オクチルピロリドン等が挙げられる。
上記その他の水溶性有機溶剤の含有量は、水性インクジェット用インク組成物中０〜２０質量％が好ましい。
なお、プロピレンカーボネートを配合しないこともできる。
【００１５】
また、乾燥性の調整及びモタリング発生防止性をさらに向上させるために、ジエチレングリコールジアルキルエーテル以外の引火点５０〜１５０℃のアルキレングリコール誘導体を併用することができる。
このような引火点５０〜１５０℃のアルキレングリコール誘導体としては、エチレングリコールジエチルエーテル、エチレングリコールジメチルエーテル、トリエチレングリコールジメチルエーテル、トリエチレングリコールジエチルエーテル、テトラエチレングリコールジメチルエーテル等の（ポリ）エチレングリコールジアルキルエーテル、プロピレングリコールジメチルエーテル、プロピレングリコールジエチルエーテル、ジプロピレングリコールジメチルエーテル、ジプロピレングリコールジエチルエーテル、プロピレングリコールジエチルエーテル、テトラエチレングリコールジメチルエーテル等の（ポリ）プロピレングリコールジアルキルエーテル、プロピレングリコールモノメチルエーテル、プロピレングリコールモノエチルエーテル、プロピレングリコールモノブチルエーテル、ジプロピレングリコールモノメチルエーテル、ジプロピレングリコールモノエチルエーテル等の（ポリ）ポリプロピレングリコールモノアルキルエーテル、プロピレングリコールモノメチルエーテルアセテート、プロピレングリコールモノエチルエーテルアセテート、プロピレングリコールモノブチルエーテルアセテート、ジプロピレングリコールモノメチルエーテルアセテート、ジプロピレングリコールモノエチルエーテルアセテート、ジプロピレングリコールモノブチルエーテルアセテート等の（ポリ）ポリプロピレングリコールモノアルキルエーテルモノアルキルエステル、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、トリエチレングリコールモノメチルエーテル、トリエチレングリコールモノエチルエーテル、トリエチレングリコールモノブチルエーテル、テトラエチレングリコールモノブチルエーテル等の（ポリ）エチレングリコールモノエーテル、エチレングリコールモノメチルアセテート、エチレングリコールモノエチルアセテート、エチレングリコールモノブチルアセテート、ジエチレングリコールモノメチルアセテート、トリエチレングリコールモノメチルアセテート等の（ポリ）エチレングリコールモノエステル、エチレングリコールジアセテート、ジエチレングリコールジアセテート、トリエチレングリコールジアセテート等の（ポリ）エチレングリコールジエステル、エチレングリコールモノメチルエーテルアセテート、エチレングリコールモノエチルエーテルアセテート、エチレングリコールモノブチルエーテルアセテート、ジエチレングリコールモノメチルエーテルアセテート、ジエチレングリコールモノブチルエーテルアセテート、ジエチレングリコールプロピルエーテルアセテート、トリエチレングリコールモノブチルエーテル、トリエチレングリコールエチルエーテルアセテート、トリエチレングリコールブチルエーテルアセテート等の（ポリ）エチレングリコールモノエーテルモノエステル等が例示できる。
また、有機溶剤の総量は、全インク組成物中において２０．０〜６０．０質量％を占める量であることが好ましい。上記総量が６０．０質量％を超える場合には、得られるインクの印字適性が低下し、一方、総量が２０．０質量％未満の場合にはインクの粘度上昇を誘引し、ノズルからのインクの吐出性が低下する傾向があるので好ましくない。
【００１６】
【表１】
2019001955.tif 000002
【００１７】
（顔料）
本発明の水性インクジェット用インク組成物を構成する顔料としては、従来から水性インクジェット用インク組成物に使用されている公知の無機顔料や有機顔料等を使用することができる。
従来公知の無機顔料の具体例としては、カーボンブラック、酸化チタン、亜鉛華、酸化亜鉛、トリポン、酸化鉄、酸化アルミニウム、二酸化ケイ素、カオリナイト、モンモリロナイト、タルク、硫酸バリウム、炭酸カルシウム、シリカ、アルミナ、カドミウムレッド、べんがら、モリブデンレッド、クロムバーミリオン、モリブデートオレンジ、黄鉛、クロムイエロー、カドミウムイエロー、黄色酸化鉄、チタンイエロー、酸化クロム、ピリジアン、コバルトグリーン、チタンコバルトグリーン、コバルトクロムグリーン、群青、ウルトラマリンブルー、紺青、コバルトブルー、セルリアンブルー、マンガンバイオレット、コバルトバイオレット、マイカ等が例示できる。
有機顔料の具体例としては、アゾ系、アゾメチン系、ポリアゾ系、フタロシアニン系、キナクリドン系、アントラキノン系、インジゴ系、チオインジゴ系、キノフタロン系、ベンツイミダゾロン系、イソインドリン系、イソインドリノン系等の有機顔料が挙げられ、具体的な例をカラーインデックスで示すと、ピグメントブラック７、ピグメントブルー１５、１５：１、１５：３、１５：４、１５：６、６０、ピグメントグリーン７、３６、ピグメントレッド９、４８、４９、５２、５３、５７、９７、１２２、１４９、１６８、１７７、１７８、１７９、２０６、２０７、２０９、２４２、２５４、２５５、ピグメントバイオレット１９、２３、２９、３０、３７、４０、５０、ピグメントイエロー１２、１３、１４、１７、２０、２４、７４、８３、８６、９３、９４、９５、１０９、１１０、１１７、１２０、１２５、１２８、１３７、１３８、１３９、１４７、１４８、１５０、１５１、１５４、１５５、１６６、１６８、１８０、１８５、ピグメントオレンジ３６、４３、５１、５５、５９、６１、７１、７４等が挙げられる。
これら顔料は、１種もしくは２種以上を混合して用いることができ、その使用量は、水性インクジェット用インク組成物全量に対して好ましくは１．０〜１０．０質量％であり、より好ましくは２．０〜７．０質量％である。顔料の使用量が１．０質量％未満であると着色力が充分でない傾向があり、一方１０．０質量％を超えると粘度が上昇し、インクの流動性が低下する傾向がある。
【００１８】
（顔料分散剤）
次に、本発明の水性インクジェット用インク組成物を構成する顔料分散剤としては、公知の顔料分散剤を用いることができる。顔料分散剤は、顔料に親和する基と、溶剤などに親和する基の双方を有している。
本発明では、溶剤などに親和する基を有する顔料分散剤が樹脂であることが好ましく、例えば、アクリル樹脂、スチレンアクリル樹脂、マレイン酸樹脂、スチレンマレイン酸樹脂、αオレフィンマレイン酸樹脂、ウレタン樹脂、エステル樹脂等が挙げられる。中でも顔料分散体を安定化させるという観点から、アクリル樹脂、スチレンアクリル樹脂を使用することが好ましい。
顔料に親和する基としては、顔料の構造もしくは、顔料の構造・極性に近い基が用いられ、それは例えばカルボキシル基、アミノ基等である。
【００１９】
（アクリル系樹脂）
本発明の水性インクジェット用インク組成物にはアクリル系樹脂を配合することができる。そのアクリル樹脂としては、水又は水性有機溶剤に可溶な、（メタ）アクリル酸等の極性基を有する単量体と、（メタ）アクリレート等の単量体からなる共重合体などが挙げられる。そのような（メタ）アクリレートとしては、例えば、エチル、プロピル、またはブチル（メタ）アクリレートなどのアルキル（メタ）アクリレート；ヒドロキシメチル、ヒドロキシエチル、ヒドロキシプロピル、ヒドロキシブチル、ヒドロキシペンチル（メタ）アクリレートなどのヒドロキシアルキル（メタ）アクリレートなどが挙げられる。
これらのアクリル系樹脂は、単独で用いてもよく、また２種類以上組み合わせて用いてもよい。
【００２０】
アクリル系樹脂の使用量は、水性インクジェット用インク組成物全量に対して好ましくは０．５〜５．０質量％で、より好ましくは１．０〜４．０質量％、さらに好ましくは１．５〜３．０質量％である。
アクリル系樹脂の合計使用量が０．５質量％未満では基材との定着性が充分でなく、滲みが発生する可能性があり、一方５．０質量％を超えると固形分が増え過ぎるため、吐出安定性が低下する可能性がある。
【００２１】
なお、これらの性能が低下しない範囲内で、上記アクリル系樹脂以外の水溶性又は水溶性有機溶媒に溶解する樹脂、例えば、塩化ビニル系樹脂、塩化ビニル−酢酸ビニル系樹脂及びエチレン−酢酸ビニル系樹脂、スチレン−アクリル系樹脂、スチレン−マレイン酸系樹脂、セルロース系樹脂、マレイン酸樹脂等を併用することも可能である。
【００２２】
（その他成分）
さらに、本発明の水性インクジェット用インク組成物には、本発明による効果を損なわない範囲において、必要に応じて、他の樹脂を添加でき、さらにアセチレン系等の界面活性剤、可塑剤、表面調整剤、紫外線防止剤、光安定化剤、酸化防止剤等の種々の添加剤を使用することができる。
【００２３】
（水性インクジェット用インク組成物の製造）
次に、これらの材料を用いて本発明の水性インクジェット用インク組成物を製造する方法について説明する。
本発明の水性インクジェット用インク組成物は、例えば、湿式サーキュレーションミル、ビーズミル、ボールミル、サンドミル、アトライター、ロールミル、ＤＣＰミル、アジテータ、ヘンシェルミキサー、コロイドミル、超音波ホモジナイザー、高圧ホモジナイザー（マイクロフルイダイザー、ナノマイザー、アルティマイザー、ジーナスＰＹ、ＤｅＢＥＥ２０００等）、パールミル等の分散機を使用して分散混合して得ることができる。
【００２４】
（用途）
本発明の水性インクジェット用インク組成物は周知の用途に使用することができるが、なかでも普通紙やインクジェット印刷用塗工紙の表面層に対して使用する場合に適している。
【実施例】
【００２５】
以下に実施例を挙げて本発明をさらに詳細に説明するが、本発明はこれらの実施例のみに限定されるものではない。なお、特に断りのない限り、「％」は「質量％」を、「部」は質量部を意味する。
【００２６】
＜アルカリ可溶性樹脂ワニス＞
ガラス転移温度４０℃、重量平均分子量３０，０００、酸価１８５ｍｇＫＯＨ／ｇの、アクリル酸／ステアリルアクリレート／スチレン＝２５／３０／４５の共重合体２５質量部を水酸化カリウム４．９質量部と水７０．１質量部との混合溶液に溶解させて、固形分２５％のアルカリ可溶性樹脂ワニスを得た。
【００２７】
＜水性顔料インクベース＞
（水性イエロー顔料インクベース）
上記アルカリ可溶性樹脂ワニスの１６質量部に水７４質量部を加え混合し、顔料分散用樹脂ワニスを調製した。このワニスに、更にイエロー顔料（商品名ノバパームイエロー４Ｇ０１、クラリアント社製）の１０質量部を加え、撹拌混合後、湿式サーキュレーションミルで練肉を行い、水性イエローインクベースを調製した。
【００２８】
（水性マゼンタ顔料インクベース）
上記アルカリ可溶性樹脂ワニスの１６質量部に水７４質量部を加え混合し、顔料分散用樹脂ワニスを調製した。このワニスに、更にマゼンタ顔料（商品名インクジェットマゼンタＥ５Ｂ０２、クラリアント社製）の１０質量部を加え、撹拌混合後、湿式サーキュレーションミルで練肉を行い、水性マゼンタ顔料インクベースを調製した。
【００２９】
（水性シアン顔料インクベース）
上記アルカリ可溶性樹脂ワニスの１６質量部に水７４質量部を加え混合し、顔料分散用樹脂ワニスを調製した。このワニスに、更にシアン顔料（商品名ヘリオゲンブルーＬ７１０１Ｆ、ＢＡＳＦ社製）の１０質量部を加え、撹拌混合後、湿式サーキュレーションミルで練肉を行い、水性シアン顔料インクベースを調製した。
【００３０】
（水性ブラック顔料インクベース）
上記アルカリ可溶性樹脂ワニスの１６質量部に水７４質量部を加え混合し、顔料分散用樹脂ワニスを調製した。このワニスに、更にカーボンブラック（商品名プリンテックス９０、ダイセル・エボニック社製）の１０質量部を加え、撹拌混合後、湿式サーキュレーションミルで練肉を行い、水性ブラック顔料インクベースを調製した。
【００３１】
＜界面活性剤＞
サーフィノール４６５（有効成分１００％、ＨＬＢ１３、日信化学工業社製）  
【００３２】
下記表２に示す配合となるように、各種顔料インクベースを用いて、実施例１〜３１、比較例１〜９の水性インクジェット用インク組成物を調製した。
水性インクジェット用インク組成物の印刷評価
（保存安定性）
実施例１〜３１、比較例１〜９の水性顔料型インクジェット用インク組成物をガラス瓶に充填し、６０℃で７日間静置した後、水性顔料型インクジェット用インク組成物の粘度を測定して、保存安定性を評価した。
評価基準
○：初期粘度からの変化率が１０％未満のもの 
△：初期粘度からの変化率が１０％以上、２０％未満のもの
×：初期粘度からの変化率が２０％以上のもの
【００３３】
（吐出安定性）
実施例１〜３１、比較例１〜９の水性インクジェット用インク組成物を、セイコーエプソン社製ヘッドを搭載した評価用プリンターのカートリッジに詰めて、写真用紙〈光沢〉（セイコーエプソン社製）に印字を行い、吐出安定性を評価した。
評価基準
○：印字の乱れがなく、安定して吐出できるもの
△：多少印字の乱れがあるものの、吐出できるもの
×：印字の乱れがあり、安定して吐出できないもの
【００３４】
（モタリング）
実施例１〜３１、比較例１〜９の水性インクジェット用インク組成物を、セイコーエプソン社製ヘッドを搭載した評価用プリンターのカートリッジに詰めて、三菱ＩＪフォーム（三菱製紙社製）に印字を行い、二次色についてモタリングが発生しているかどうかを目視で評価した。
評価基準
○：印字面にムラが無く、画質が良好であるもの
△：印字面に多少ムラはあるもの、目立たないもの
×：印字面全体に目立ったムラがあり、画質が悪いもの
【００３５】
（裏抜け）
実施例１〜３１、比較例１〜９の水性インクジェット用インク組成物を、セイコーエプソン社製ヘッドを搭載した評価用プリンターのカートリッジに詰めて、三菱ＩＪフォーム（三菱製紙社製）にベタ画像を両面印字し、以下の評価基準で印字裏面へのインクの裏抜け具合を目視で評価した。
評価基準
○：裏抜けがわずかに確認できる
△：裏抜けが確認できるが、両面印字した場合でも画像の判別は可能である
×：裏抜けがかなり確認でき、両面印字した場合には画像の判別は困難である
【００３６】
【表２】
2019001955.tif 000003
2019001955.tif 000004
2019001955.tif 000005
2019001955.tif 000006
【００３７】
表２に示された実施例１〜３１の結果によれば、水性インクジェット用インク組成物として本発明の組成に沿ったものであれば、保存安定性と吐出安定性が優れた上で、モタリング発生防止と裏抜け防止をすることができる。
これに対して、上記ａ及びｂの水溶性有機溶媒を使用しないか、使用しても少量である比較例１〜９によれば、少なくともモタリングと裏抜けが発生した。